(57)【要約】 【課題】比較的小規模な住宅であっても居住に必要なスペースを確保しつつ、建物内通風を十分に得る。【解決手段】本発明に係るに係る室内通風構造１は、全体としてコの字状の水平断面をなす出窓壁体２を、従来と同様、屋外側で突出するように木造軸組住宅に取り付けてあるが、出窓壁体２は、上階である二階と下階である一階にそれぞれ個別に設けられていた従来の出窓とは異なり、二階と一階で一体化してある。出窓壁体２は、二階窓開口３が二階に位置し、一階窓開口５が一階に位置するように、かつ二階と一階を分ける床体としての床板２１との間に水平開口２２が形成されるように床板２１に対して相対配置してあり、かかる構成により、水平開口２２を介して二階空間２３及び一階空間２４を相互に連通させることができる。【選択図】  図２
2008214878.tif 000002
【特許請求の範囲】
【請求項１】
上階窓開口と下階窓開口とが形成されるとともに屋外側に突出形成された出窓壁体を、前記上階窓開口が上階に位置し前記下階窓開口が下階に位置するようにかつ前記上階と前記下階を分ける床体との間に水平開口が形成されるように前記床体に対して相対配置することで該水平開口を介して上階空間及び下階空間を連通させたことを特徴とする室内通風構造。
【請求項２】
上階と下階の間に配置された水平横架材から出窓支持部材を水平に突設し、該出窓支持部材で前記出窓壁体を支持するように構成した請求項１記載の室内通風構造。
【請求項３】
前記出窓壁体のうち、上階窓開口が形成された上階部、下階窓開口が形成された下階部及びそれらの間に配置された中間部の水平突出長を揃えた請求項１記載の室内通風構造。
【請求項４】
前記上階窓開口の下方縁部近傍に設けられた上階出窓用カウンタ天板の室内側縁部と前記床体との間に形成された鉛直開口に通風調整機能を有する建具を取り付けた請求項１記載の室内通風構造。
【発明の詳細な説明】
【技術分野】
【０００１】
本発明は、主として住宅内に採用される室内通風構造に関する。
【背景技術】
【０００２】
住宅においては、快適で安全な住環境を確保すべく、耐久性、耐震性、防火性、採光性、通風性など、さまざまな特性が要求されるが、湿度の高い我が国では、通風が居住快適性に大きな影響を及ぼす。
【０００３】
ここで、通風を確保すべく、住宅内に吹抜け空間を設けた室内通風構造が従来から数多く採用されており、かかる住宅においては、吹抜け空間を介した上階と下階との空気の流れが形成されるため、自然通風に優れた住宅となり、居住快適性を高めることができる。
【０００４】
【特許文献１】特開平５−９８８７０号公報
【特許文献２】特開２００６−２６５９８７号公報
【発明の開示】
【発明が解決しようとする課題】
【０００５】
しかしながら、比較的小規模な住宅では、居住に必要なスペースを確保しなければならない関係上、吹抜け空間を形成するにもその大きさに限度があり、結果として建物内通風を十分確保することができず、ひいては住宅の快適性が低下するという問題を生じていた。
【課題を解決するための手段】
【０００６】
本発明は、比較的小規模な住宅であっても居住に必要なスペースを確保しつつ、建物内通風を十分に得ることが可能な室内通風構造を提供することを目的とする。
【０００７】
上記目的を達成するため、本発明に係る室内通風構造は請求項１に記載したように、上階窓開口と下階窓開口とが形成されるとともに屋外側に突出形成された出窓壁体を、前記上階窓開口が上階に位置し前記下階窓開口が下階に位置するようにかつ前記上階と前記下階を分ける床体との間に水平開口が形成されるように前記床体に対して相対配置することで該水平開口を介して上階空間及び下階空間を連通させたものである。
【０００８】
また、本発明に係る室内通風構造は、上階と下階の間に配置された水平横架材から出窓支持部材を水平に突設し、該出窓支持部材で前記出窓壁体を支持するように構成したものである。
【０００９】
また、本発明に係る室内通風構造は、前記出窓壁体のうち、上階窓開口が形成された上階部、下階窓開口が形成された下階部及びそれらの間に配置された中間部の水平突出長を揃えたものである。
【００１０】
また、本発明に係る室内通風構造は、前記上階窓開口の下方縁部近傍に設けられた上階出窓用カウンタ天板の室内側縁部と前記床体との間に形成された鉛直開口に通風調整機能を有する建具を取り付けたものである。
【００１１】
本発明に係る室内通風構造においては、出窓を形成するための出窓壁体を、該出窓壁体に形成された上階窓開口と下階窓開口とが上階と下階にそれぞれ位置するように、かつ床体との間に水平開口が形成されるように床体に対して相対配置する。
【００１２】
このようにすると、上述した水平開口を介して、上階から下階、あるいは下階から上階へと流れる空気の流路が形成され、かくして、建物内を自然通風することが可能となる。
【００１３】
出窓壁体は、コの字状、円弧状、湾曲状といった屋外に突出した形状を有しその内側に室内出窓空間を創り出すものであって、水平断面形状は公知の出窓壁体と概ね同様であるが、従来の出窓壁体が上下階で独立したものであるのに対し、本発明に係る出窓壁体は、上階窓開口が形成された上階部、下階窓開口が形成された下階部及びそれらの間に配置された中間部が一体に形成してある。
【００１４】
出窓壁体は、建物躯体に後付けできる構成とすることができるが、このようなユニット形式のものに必ずしも限定されるものではなく、例えば、一対の出窓受け木を柱から水平に突設して該受け木に出窓土台を架け渡すとともに、該出窓土台に一対の出窓柱を立設し、該出窓柱の頂部に出窓桁を架け渡してそれらの屋外側に面材を打ち付ける構成とすることができる。
【００１５】
ここで、上階と下階の間に配置された胴差等の水平横架材から出窓支持部材を水平に突設し、該出窓支持部材で出窓壁体を支持するようにすれば、出窓壁体を容易に設置することが可能となる。
【００１６】
出窓壁体のうち、上階窓開口が形成された上階部、下階窓開口が形成された下階部及びそれらの間に配置された中間部は、上述した水平開口が形成される限り、どのように構成するかは任意であって、適宜段差が形成されてもかまわないが、上階部、中間部及び下階部の水平突出長を揃えるようにすれば、施工が容易になるのみならず、出窓壁体が上から下にかけて面一となり、デザイン性に優れた構成とすることができる。
【００１７】
上階出窓用カウンタ天板の室内側縁部と床体との間に形成された鉛直開口に通風調整機能を有する建具を取り付けた場合、該建具の通風調整機能によって通風量を調整することができる。
【発明を実施するための最良の形態】
【００１８】
以下、本発明に係る室内通風構造の実施の形態について、添付図面を参照して説明する。なお、従来技術と実質的に同一の部品等については同一の符号を付してその説明を省略する。
【００１９】
図１乃至図３は、本実施形態に係る室内通風構造を示した図である。これらの図に示すように、本実施形態に係る室内通風構造１は、全体としてコの字状の水平断面をなす出窓壁体２を、従来と同様、屋外側で突出するように木造軸組住宅に取り付けてあるが、出窓壁体２は、上階である二階と下階である一階にそれぞれ個別に設けられていた従来の出窓とは異なり、二階と一階で一体化してある。
【００２０】
すなわち、出窓壁体２は、出窓桁１２を軒桁下方近傍の高さで、出窓桁１４を水平横架材である胴差近傍の高さで、それぞれ一対の出窓柱１５，１５に架け渡すとともに、胴差１０の上に立設された二階の管柱である柱８，８から水平に突設された出窓受け木１１，１１と胴差１０から水平に突設された出窓支持部材としての出窓受け木１３，１３をそれぞれ軒桁下方近傍の高さと胴差近傍の高さで出窓柱１５，１５に接合し、これらを骨組としてその外側に外壁材９を取り付けるとともにその内側に内装材（図示せず）を取り付けることで、全体をコの字状水平断面に形成してなり、出窓柱１５，１５は、ＲＣ基礎１６ｂ上に敷設された出窓土台１７ｂに立設してある。
【００２１】
ここで、出窓壁体２の外装材９には、上階窓開口として二階窓開口３が形成してあるとともに、下階窓開口として一階窓開口５が形成してあり、出窓壁体２のうち、二階窓開口３を含む上段領域は上階部４、一階窓開口５を含む下段領域は下階部６、それらの間に位置する中段領域は中間部７となる。
【００２２】
出窓壁体２は、二階窓開口３が二階に位置し、一階窓開口５が一階に位置するように、かつ二階と一階を分ける床体としての床板２１との間に水平開口２２が形成されるように床板２１に対して相対配置してあり、かかる構成により、水平開口２２を介して二階空間２３及び一階空間２４を相互に連通させることができる。
【００２３】
二階空間２３と一階空間２４を分ける床板２１の高さ位置に対応した中間部７は、上階部４及び下階部６の水平突出長とその寸法を揃えてあり、出窓壁体２は上から下にかけて面一となる。
【００２４】
ここで、二階窓開口３の下方縁部近傍に設けられた上階出窓用カウンタ天板３２の室内側縁部と床板２１との間に形成された鉛直開口には、通風調整機能を有する建具３１を取り付けてある。
【００２５】
かかる建具３１は、例えば和室であればケンドン式通風障子、洋室であればケンドン式スライド縦格子を用いることができる。
【００２６】
本実施形態に係る室内通風構造１においては、出窓を形成するための出窓壁体２を、該出窓壁体に形成された二階窓開口３と一階窓開口５とが二階と一階にそれぞれ位置するように、かつ床板２１との間に水平開口２２が形成されるように床板２１に対して相対配置してある。
【００２７】
このようにすると、上述した水平開口２２を介して、二階空間２３から一階空間２４、あるいは一階空間２４から二階空間２３へと流れる空気の流路が形成される。
【００２８】
ここで、一階の出窓に設けられた下階出窓用カウンター天板３３の下方空間に暖房設備を設置した場合、一階の暖気は、水平開口２２を介して二階空間２３に流れるため、二階の空調負荷、ひいては建物全体の空調負荷を軽減することができる。
【００２９】
空気の流れを調整したい場合には、建具３１の通風調整機能を適宜操作すればよい。
【００３０】
以上説明したように、本実施形態に係る室内通風構造１によれば、出窓壁体２を、該出窓壁体に形成された二階窓開口３と一階窓開口５とが二階と一階にそれぞれ位置するように、かつ床板２１との間に水平開口２２が形成されるように床板２１に対して相対配置したので、水平開口２２を介して、二階空間２３から一階空間２４、あるいは一階空間２４から二階空間２３へと流れる空気の流路が形成され、かくして、建物内を自然通風することが可能となる。
【００３１】
また、本実施形態に係る室内通風構造１によれば、中間部７、上階部４及び下階部６の水平突出長を揃えるようにしたので、それらに段差がなくなって出窓壁体２が上から下にかけて面一となり、施工が容易になるのみならず、デザイン性に優れた構成とすることができる。
【００３２】
また、本実施形態に係る室内通風構造１によれば、二階窓開口３の下方縁部近傍に設けられた上階出窓用カウンタ天板３２の室内側縁部と床板２１との間に形成された鉛直開口に通風調整機能を有する建具３１を取り付けたので、該建具の通風調整機能によって通風量を適宜調整することができる。
【００３３】
本実施形態では、上階出窓用カウンタ天板３２の室内側縁部と床板２１との間に形成された鉛直開口に通風調整機能を有する建具３１を配置するようにしたが、必ずしも建具３１を設ける必要はなく、場合によっては省略してもかまわない。
【００３４】
また、建具３１に代えて、水平開口２２にグレーチングパネルを嵌め込んだり、該グレーチングパネルに開閉用ダンパーを組み込むようにしてもよい。
【図面の簡単な説明】
【００３５】
【図１】本実施形態に係る室内通風構造の斜視図。
【図２】本実施形態に係る室内通風構造の鉛直断面図。
【図３】本実施形態に係る室内通風構造の図であり、(a)はＡ−Ａ線に沿う水平断面図、(b)はＢ−Ｂ線に沿う水平断面図。
【符号の説明】
【００３６】
１                            室内通風構造
２                            出窓壁体
３                            二階窓開口（上階窓開口）
４                            上階部
５                            一階窓開口（下階窓開口）
６                            中間部
８                            柱
１０                          胴差（水平横架材）
１１                          出窓受け木
１２                          出窓桁
１３                          出窓受け木
１４                          出窓桁
１５                          出窓柱
２１                          床板（床体）
２２                          水平開口
２３                          二階空間（上階空間）
２４                          一階空間（下階空間）
３１                          通風調整機能を有する建具
【図１】
2008214878.tif 000003
【図２】
2008214878.tif 000004
【図３】
2008214878.tif 000005